(57)【要約】【課題】  改築前後の住宅や建設された年代別の住宅の内部構造及び性能を顧客に容易に理解してもらうことができる住宅の構造模型を提供することを目的とする。【解決手段】  住宅の構造模型１は、住宅内部の室を模して形成され、床部２、壁部３、及び天井部４を備える模型であって、室の内装を側方から視認可能な開口部５と、室の床部２、壁部３、及び天井部４の各内部構造を視認可能な露出部６と、を具備し、室の改築前後の状態を並べて配置している。【選択図】図１
2020052186.tif 000002
【特許請求の範囲】
【請求項１】
住宅内部の室を模して形成され、床部、壁部、及び天井部を備える住宅の構造模型であって、
前記室の内装を側方から視認可能な開口部と、前記室の前記床部、壁部、及び天井部の各内部構造を視認可能な露出部と、を具備し、
前記室の改築前後の状態を並べて配置することを特徴とする住宅の構造模型。
【請求項２】
改築前の前記室は、少なくとも前記床部及び前記天井部の内部構造が互いに異なる改築前の複数の既設室を有し、
改築後の前記室は、それぞれの前記既設室に対応した改築後の複数の新設室を有することを特徴とする請求項１に記載の住宅の構造模型。
【請求項３】
前記露出部は、前記床部の内部構造として少なくとも床束、大引、根太、及び床断熱材を視認可能であり、
改築後の前記室の前記床部は、改築前の前記室の前記床部に新たな前記床断熱材を追加設置したものであることを特徴とする請求項１に記載の住宅の構造模型。
【請求項４】
前記露出部は、前記壁の内部構造として少なくとも横桟及び壁断熱材を視認可能であり、
改築後の前記室の前記壁部は、改築前の前記室の前記壁部に新たな前記壁断熱材を追加設置したものであることを特徴とする請求項１から請求項３のいずれかに記載の住宅の構造模型。
【請求項５】
前記露出部は、前記天井の内部構造として少なくとも野縁及び天井断熱材を視認可能であり、
改築後の前記室の前記天井部は、改築前の前記室の前記天井部に新たな前記天井断熱材を追加設置したものであることを特徴とする請求項１から請求項４のいずれかに記載の住宅の構造模型。
【発明の詳細な説明】
【技術分野】
【０００１】
本発明は、改築前後の住宅の室を模して形成され、床部、壁部、及び天井部を備える住宅の構造模型に関する。
【背景技術】
【０００２】
従来より、住宅の購入を検討している顧客に対して住宅の内部構造や性能を説明するために、住宅の室を模して形成された構造模型を用いることがある（例えば、特許文献１、特許文献２、特許文献３）。これらの構造模型は、原寸大の住宅を若干縮小して形成されるものの、住宅を構成する実際の部材を用いて形成されており、構造模型の内装を側方から確認できる開口部を設けるとともに、床部や壁部、天井部などの内部構造を一部視認可能とすることで、顧客は購入を検討している住宅の内部構造や性能について理解を深めることができる。
【先行技術文献】
【特許文献】
【０００３】
【特許文献１】特開２００２−２９７０２３
【特許文献２】特開２００２−２９７０２２
【特許文献３】特開２００１−１８３９６５
【発明の概要】
【発明が解決しようとする課題】
【０００４】
ところで、古くなった既存の住宅を改築する場合、既設の床部、壁部、天井部の内部に高い断熱性能を有する断熱材を新たに設置して住宅の性能を高めたり、既存の内装仕上材を新設の内装仕上材で被覆して意匠性を向上させたりすることになるが、自身の住宅の改築前後の変化を事前に把握しておきたいという顧客からの要望は以前から多かった。しかしながら、建築についての知識が少ない顧客に改築前後の住宅の変化について説明するとことは難しく、内容を理解してもらうのに時間を要していた。
【０００５】
また特許文献１から特許文献３に記載の構造模型は、新築の住宅を模して形成されているため住宅の新築を検討している顧客に対しての説明時には有効に使用することができるが、改築前後の住宅の内部構造や性能の違いを説明する際にそのまま使用しても改築に関する情報を顧客に十分理解してもらえない可能性が高い。また、住宅は建設された年代ごとによって内部構造や性能が異なるが、既存の住宅の内部構造や性能を年代別に分かりやすく示した構造模型はこれまでに考案されていなかった。
【０００６】
そこで、本発明は、上述した課題を鑑みてなされたものであって、改築前後の住宅や建設された年代別の住宅の内部構造及び性能を顧客に容易に理解してもらうことができる住宅の構造模型を提供することを目的とする。
【課題を解決するための手段】
【０００７】
本発明の第１の住宅の構造模型は、住宅内部の室を模して形成され、床部、壁部、及び天井部を備える住宅の構造模型であって、前記室の内装を側方から視認可能な開口部と、前記室の前記床部、壁部、及び天井部の各内部構造を視認可能な露出部と、を具備し、前記室の改築前後の状態を並べて配置することを特徴としている。
【０００８】
本発明の第２の住宅の構造模型は、改築前の前記室が、少なくとも前記床部及び前記天井部の内部構造が互いに異なる改築前の複数の既設室を有し、改築後の前記室が、それぞれの前記既設室に対応した改築後の複数の新設室を有することを特徴としている。
【０００９】
本発明の第３の住宅の構造模型は、前記露出部が、前記床部の内部構造として少なくとも床束、大引、根太、及び床断熱材を視認可能であり、改築後の前記室の前記床部は、改築前の前記室の前記床部に新たな前記床断熱材を追加設置したものであることを特徴としている。
【００１０】
本発明の第４の住宅の構造模型は、前記露出部が、前記壁の内部構造として少なくとも横桟及び壁断熱材を視認可能であり、改築後の前記室の前記壁部は、改築前の前記室の前記壁部に新たな前記壁断熱材を追加設置したものであることを特徴としている。
【００１１】
本発明の第５の住宅の構造模型は、前記露出部が、前記天井の内部構造として少なくとも野縁及び天井断熱材を視認可能であり、改築後の前記室の天井部は、改築前の前記室の天井部に新たな前記天井断熱材を追加設置したものであることを特徴としている。
【発明の効果】
【００１２】
本発明の第１の住宅の構造模型によると、住宅内部の室の内装を側方から視認可能な開口部と、前記室の床部、壁部、及び天井部の各内部構造を視認可能な露出部と、を具備し、室の改築前後の状態を並べて配置するので、改築を検討している顧客は、改築前後の室の内装及び内部構造の変化を容易に理解することができ、改築に対する知識をより効率的に深めることができる。
【００１３】
本発明の第２の住宅の構造模型によると、改築前の室は、少なくとも床部及び天井部の内部構造が互いに異なる改築前の複数の既設室を有し、改築後の室は、それぞれの既設室に対応した改築後の複数の新設室を有するので、各既設室の内部構成を年代別に分ければ、顧客は、自身の住宅が建設された年代に該当する既設室を観覧することにより自身の住宅のおおよその内部構造を把握して住宅についての知識を深めることができ、また、該当する既設室に対応した新設室を観覧すれば、改築前後の室の内装や内部構造の変化を容易に理解することができる。
【００１４】
本発明の第３の住宅の構造模型によると、露出部は、床部の内部構造として少なくとも床束、大引、根太、及び床断熱材を視認可能であり、改築後の室の床部は、改築前の室の床部に新たな床断熱材を追加設置したものであるので、改築を検討している顧客は、床部の内部構造に対する知識を得ることができるとともに、改築前後の床の断熱性能の違いを容易に理解することができる。
【００１５】
本発明の第４の住宅の構造模型によると、露出部は、壁の内部構造として少なくとも横桟及び壁断熱材を視認可能であり、改築後の室の壁部は、改築前の室の壁部に新たな壁断熱材を追加設置したものであるので、顧客は、壁部の内部構造に対する知識を得ることができるとともに、改築前後の壁の断熱性能の違いを容易に理解することができる。
【００１６】
本発明の第５の住宅の構造模型によると、露出部は、天井の内部構造として少なくとも野縁及び天井断熱材を視認可能であり、改築後の室の天井部は、改築前の室の天井部に新たな天井断熱材を追加設置したものであるので、顧客は、天井部の内部構造に対する知識を得ることができるとともに、改築前後の天井部の断熱性能の違いを容易に理解することができる。
【図面の簡単な説明】
【００１７】
【図１】第１実施形態の住宅の構造模型を示す斜視図。
【図２】第１実施形態の住宅の構造模型を示す正面図。
【図３】第１実施形態の床部を示す斜視図。
【図４】図２のＡ−Ａ線一部省略断面図。
【図５】第１実施形態の天井部を示す斜視図。
【図６】第２実施形態の住宅の構造模型を示す斜視図。
【図７】第２実施形態の住宅の構造模型を示す正面図。
【発明を実施するための形態】
【００１８】
<第１実施形態>
以下、本発明に係る住宅の構造模型の最良の実施形態について図１から図５を参照しつつ説明する。住宅の構造模型は、主に住宅の１階部分の室を模して形成される略原寸大の模型で、住宅の様々な性能や内部構造を観覧、体感できる住環境展示施設のような屋内施設に設置され、住宅の改築を検討している顧客に対して説明を行う際に用いられる。なお、住宅の構造模型は、木造や鉄骨造、鉄筋コンクリート造など住宅を模して形成されるものであればその構造を限定されることはなく、また、２階以上の部分を含んだものであってもよい。本実施形態では、住宅の１階部分の室を模して形成され、屋内施設に設置される住宅の構造模型について説明する。
【００１９】
図１に示すように、住宅の構造模型１は、洋室の一部分を模して形成され、床部２、壁部３、及び天井部４を備えた平面視略矩形の模型であり、改築前の洋室１１の内装と改築後の洋室１２の内装とを並べて配置されている。また、住宅の構造模型１は、開口部５として正面１０ａ及び一方の側面１０ｂにそれぞれ対向する位置の壁部が取除かれており、開口部５側から改築前後の洋室１１、１２の内装をそれぞれ視認することができる。そして、床部２、壁部３、天井部４を開口部５側で切断するとともに、床部２及び壁部３の一部分の仕上げ材を取除くことによって各部２、３、４の内部構造を視認可能とした露出部６によって洋室の内部構造を確認することができる。なお、改築前の洋室１１は、例えば、我が国に断熱材が普及し始めた頃の古い住宅仕様の洋室を示すものであり、改築後の洋室１２は、最新の断熱性能を有した新しい住宅仕様の洋室を示している。
【００２０】
まず、改築前の洋室１１について説明する。図２及び図３に示すように、改築前の洋室１１の床部２である第１既設床部２１は、互いに間隔を空けて配置された複数の束石２ａの上部に木製の床束２ｂを立設させて一方向の床束２ｂ間に長尺な木製の大引２ｃを架設させ、大引２ｃの上部に大引２ｃと直交する方向へ複数の細長な根太２ｄを間隔を空けて架け渡し、根太２ｄの上部に平板状の床下地材２ｅ及び既存床仕上材２ｆを順に載置することで形成されている。また、根太２ｄ同士の間には、板状の既設床断熱材２ｇが固定されており、図３に示すように、床下地材２ｅ及び既設床仕上材２ｆの一部分を切欠いて露出部６を形成するとともに、床下地材２ｅと既設床仕上材２ｆとを段状に設置することで、第１既設床部２１の内部構造をより確認しやすいようにしている。既設床断熱材２ｇは、厚さ１５ｍｍ〜３０ｍｍ程度のグラスウールであり、第１既設床２１の断熱性能はあまり高くなく床下に熱が逃げやすい構造となっている。
【００２１】
図２及び図４に示すように、改築前の洋室１１の壁部３である第１既設壁部３１は、間隔を空けて複数の柱３ａを立設させ、柱３ａ同士の間に柱３ａの長手方向へ沿って間隔空けながら複数の横桟３ｂを設置し、横桟３ｂ及び柱３ａに石膏ボードなどの平板状の既設壁面材３ｃを固定して壁紙などで既設壁面材３ｃの洋室１１側の表面を仕上げ、既設壁面材３ｃの下端部に既設幅木３ｄを設置することにより形成されている。また、横桟３ｂ同士の間には既設壁断熱材３ｅが設置されており、図２に示すように既設壁面材３ｃの一部分を切欠いた露出部６によって既設壁断熱材３ｅの設置状況を確認しやすくしている。既設壁断熱材３ｅは例えば厚さ２０ｍｍ〜３０ｍｍ程度のロックウールであり、既設壁部３１は既設床部２１と同様に断熱性能があまり高くなく室外へ熱が逃げやすい構造となっている。
【００２２】
図２及び図５に示すように、改築前の洋室１１の天井部４である第１既設天井部４１は、住宅の構造模型１を設置する屋内施設の天井（図示せず）に吊り金具４ａで吊下げられている。第１既設天井部４１は、吊り金具４ａの下端部に水平方向へ延びる長尺な野縁受け４ｂを固定し、野縁受け４ｂと直交する方向へ互いに間隔を空けながら複数の細長な野縁４ｃを野縁受け４ｂの下部に設置して平板状の天井下地材４ｄを野縁４ｃの下端部に固定し、さらに天井下地材４ｄを介して天井面材４ｅを野縁４ｃに支持させるとともに、壁紙などで天井面材４ｅの洋室１１側の表面を仕上げることで形成されている。また、野縁４ｃ同士の間には第１既設天井断熱材４ｆが設置されており、この第１既設天井断熱材４ｆは、例えば厚さ５０ｍｍ程度のグラスウールで形成され、既設天井部４１は、既設床部２１及び既設壁部３１と同様に断熱性能があまり高くなく室外へ熱が逃げやすい構造となっている。
【００２３】
これに対し、改築後の洋室１２は、改築前の洋室１１の断熱性能及び内装の美観を向上をさせたものとなっている。図２及び図３に示すように、改築後の洋室１２の床部２である第１新設床２２は、第１既設床２１の大引２ｃ同士の間に平板状の新設床断熱材２ｈを設置して第１既設床部２１の断熱性能を向上させるとともに、古い既存床仕上材２ｆの上部に新設床仕上材２ｉを重ね貼りして美観を高めている。なお、第１新設床２２は、既設床部２１と同様に床下地材２ｅ、既設床仕上材２ｆ、新設床仕上材２ｉの一部分を切欠かれて露出部６を形成されるとともに、各部材２ｅ、２ｆ、２ｉ同士を互いに段状に貼られており、内部構造をより確認しやすいものとなっている。また、新設断熱材２ｈは厚さ８０ｍｍ程度のグラスウールであり、大引２ｃ間に設置することによって、第１既設床部２１の床下への熱損失を大幅に改善することができる。
【００２４】
図２及び図４に示すように、改築後の洋室１２の第１新設壁部３２は、第１既設壁部３１の既設幅木３ｄを撤去するとともに既設壁面材３ｃを新たな新設壁断熱材３ｆで被覆し、さらにその上から新設壁面材３ｇを増貼りして壁紙などで新設壁面材３ｇの表面を仕上げ、新たな新設幅木３ｈを新設壁面材３ｇの下端部に設置することにより断熱性能と意匠性を向上させている。また、第１新設壁部３２は、新設壁断熱材３ｆと新設壁面材３ｇとを互いに段状に貼られており、増貼りされる部材の厚みや材質を確認しやすいようにしている。そして増貼りされる新設壁断熱材３ｆは、厚さ４０ｍｍ程度のフェノール系発泡断熱材であり、既設壁面材３ｃに設置されることによって第１既設壁部３１の屋外への熱損失を改善することができる。
【００２５】
図２及び図５に示すように、改築後の洋室１２の天井部４である第１新設天井部４２は、第１既設天井部４１の第１既設天井断熱材４ｆの上部に第１新設天井断熱材４ｇを追加設置したものであり、第１既設天井部４１の断熱性能をより向上させている。第１新設天井断熱材４ｇは、厚さ１００ｍｍ程度のグラスウールを２層重ねたものであり、第１既設天井部４１の室外への熱損失を大幅に改善することができる。
【００２６】
このように構成される住宅の構造模型１は、図１に示す開口部５側から観覧することによって、改築前後の洋室１１、１２の内装の変化を把握することができるとともに、露出部６から各部２、３、４の内部構造を確認することによって、改築前後の洋室１１、１２の構造や性能の変化を知ることができ、改築の検討をしている顧客は、改築に対する疑問や不安を解消して安心して住宅の改築を行うことができる。また、各部材に部材の名称や厚さを記載した説明プレートなどを設置すれば、より改築に対する理解を深めることができる。
【００２７】
<第２実施形態>
次に、住宅の構造模型８について図６及び図７を参照しつつ説明する。なお、第１実施形態と同様の構成は同一の符号を付して説明を省略する。住宅の構造模型８は、改築前の第１既設洋室１１ａと、第１既設洋室１１ａを改築した後の第１新設洋室１２ａと、第１既設洋室１１ａとは異なる内部構造を有する改築前の第２既設洋室１１ｂと、第２既設洋室１１ｂを改築した後の第２新設洋室１２ｂと、を並べて形成された平面視略矩形の模型であり、床部２０、壁部３０、及び天井部４０を備えている。なお、開口部５及び露出部６の構成については第１実施形態と同様であるため説明を省略する。また、第１既設洋室１１ａは先述の洋室１１と同様の構成であるとともに、第１新設洋室１２ａは先述の洋室１２と同様の構成であるため、これらについても説明を省略する。
【００２８】
第２既設洋室１１ｂは、第１既設洋室１１ａの住宅仕様よりも新しく、且つ、各新設洋室１２ａ、１２ｂの住宅仕様よりも古い年代の住宅仕様で形成されている。図６及び図７に示すように、第２既設洋室１１ｂの床部２０である第２既設床部２３は、床束２３ａ及び大引２３ｂが鋼製となっており、第１既設洋室１１ａに使用されていた木製の床束２ｂ及び大引２ｃと比較して腐食やシロアリなどによる害虫被害を防止することができる。また、第２既設床部２３は、床束２３ａ及び大引２３ｂが鋼製である他は第１既設床部２１と同様の構成となっており、第１既設床部２１と同様、第２既設床部２３自体の断熱性能はあまり高くなく床下に熱が逃げやすい構造となっている。
【００２９】
なお、図６に示す第２既設洋室１１ｂの壁部３０である第２既設壁部３３は第１既設壁部３１と、第２新設洋室１２ｂの壁部３０である第２新設壁部３４は第１新設壁部３２と、それぞれ同様の構成となっているため説明は省略する。
【００３０】
図７に示すように、第２既設洋室１１ｂの天井部４０である第２既設天井部４３は、各天井部４１、４２と同様に屋内施設の天井（図示せず）に吊り金具４ａで吊下げられており、野縁４ｃの間に載置された第２既設天井断熱材４３ａの厚さが、先述の第１既設天井断熱材４ｆと異なる他は第１既設天井部４１と同様の構成となっている。この第２既設天井断熱材４３ａは厚さ１００ｍｍ程度のグラスウールで形成されており、第２既設天井部４３は、第１既設天井部４１よりも断熱性能が高くなっている。
【００３１】
また図６に示すように、第２新設洋室１２ｂの床部２０である第２新設床部２４は、大引２３ｂの間に新設床断熱材２ｈを設置して第２既設床部２３の断熱性能を向上させるとともに、古い既存床仕上材２ｆに新設床仕上材２ｉを重ね貼りして美観を高めている。なお、第２新設床部２４は、第１新設床部２２と同様に床下地材２ｅ、既設床仕上材２ｆ、新設床仕上材２ｉの一部分を切欠いて露出部６を形成されているとともに、各部材２ｅ、２ｆ、２ｉ同士を互いに段状に貼られており、内部構造をより確認しやすいようにしている。そして、図７に示す第２新設洋室１２ｂの天井部４０である第２新設天井部４４は、第２既設天井部４３の第２既設天井断熱材４３ａを厚さ１００ｍｍ程度のグラスウールで形成された新たな第２新設天井断熱材４４ａで被覆したものであり、第２既設天井部４３の断熱性能をより向上させている。
【００３２】
このように住宅の構造模型８は、年代の異なる２種類の洋室の改築前後を確認できるので、顧客は自身の住宅が建設された年代に近い洋室の改築前後の様子を観覧することにより、住宅を改築した場合の内部構造の違いや性能の変化を理解することができ、改築に対する知識を深めることができる。なお、本実施形態では、年代の異なる洋室を２種類としているが、年代の異なる洋室を２種以上並べて配置してもよい。また、第１実施形態及び第２実施形態ともに改築前後の室を洋室としているが、洋室に限らず和室やその他の室としてもよい。
【００３３】
なお、本発明の実施の形態は上述の形態に限ることなく、本発明の思想の範囲を逸脱しない範囲で適宜変更することができる。
【産業上の利用可能性】
【００３４】
本発明に係る住宅の構造模型は、住宅の改築を検討する顧客対して説明を行う際にに好適に使用することができる。
【符号の説明】
【００３５】
１、８        住宅の構造模型
１１          改築前の洋室（改築前の室）
１１ａ        第１既設洋室（既設室）
１１ｂ        第２既設洋室（既設室）
１２          改築後の洋室（改築後の室）
１２ａ        第１新設洋室（新設室）
１２ｂ        第２新設洋室（新設室）
２、２０      床部
２ｂ、２３ａ  床束
２ｃ、２３ｂ  大引
２ｄ          根太
２ｇ          既設床断熱材（床断熱材）
２ｈ          新設床断熱材（床断熱材）
３、３０      壁部
３ｂ          横桟
３ｅ          既設壁断熱材（壁断熱材）
３ｆ          新設壁断熱材（壁断熱材）
４、４０      天井部
４ｃ          野縁
４ｆ          第１既設天井断熱材（天井断熱材）
４３ａ        第２既設天井断熱材（天井断熱材）
４ｇ          第１新設天井断熱材（天井断熱材）
４４ａ        第２既設天井断熱材（天井断熱材）
５            開口部
６            露出部
【図１】
2020052186.tif 000003
【図２】
2020052186.tif 000004
【図３】
2020052186.tif 000005
【図４】
2020052186.tif 000006
【図５】
2020052186.tif 000007
【図６】
2020052186.tif 000008
【図７】
2020052186.tif 000009